(57)【要約】【課題】    服薬者が食事をする際に、食事前後の服薬忘れを警鐘する服薬情報を自動的に表示する服薬管理装置を提供する。【解決手段】バーコード２−１や薬情報サーバ５から服薬情報を取得し、取得した服薬情報を服薬情報記憶部１０８に記憶し、食事時間の到来を示すアラームが鳴動して停止操作された場合、またはバーコード２−２，２−３やＮＦＣ機器３やモーションセンサ付きリストバンド７から服薬者が食事をしようとしている兆候を示すデータが入力された場合に、現在時刻に応じて食前または食後に服薬すべき薬に係る情報を表示する。【選択図】    図１
2015222466.tif 000002
【特許請求の範囲】
【請求項１】
所定の薬を定期的に服薬する服薬者の服薬に係る情報を管理する服薬管理装置であって、
所定のバーコードまたは所定の無線タグまたは所定のサイトから１以上の薬の種類を識別する薬識別情報および前記薬の各々の食前または食後の情報を含む服薬すべきタイミングに係る情報を含む服薬情報を取得する服薬情報取得手段と、前記服薬情報取得手段が取得した服薬情報を記憶する服薬情報記憶手段と、前記服薬者が服薬すべき薬に係る情報を表示する服薬情報表示手段と、を有し、
自装置が備えるアラーム機能により食事時刻の到来を示すアラームが鳴動または表示した後に、前記アラームの鳴動または表示を停止する操作が為された場合に、
前記服薬情報表示手段は、自装置が備える時計機能が示す現在時刻に基づいて前記食事が朝食、昼食、夕食のいずれであるかを特定し、前記特定した食事の食前または食後に服薬すべき薬に係る情報を表示することを特徴とする服薬情報を自動表示する服薬管理装置。
【請求項２】
所定の薬を定期的に服薬する服薬者の服薬に係る情報を管理する服薬管理装置であって、
所定のバーコードまたは所定の無線タグまたは所定のサイトから１以上の薬の種類を識別する薬識別情報および前記薬の各々の食前または食後の情報を含む服薬すべきタイミングに係る情報を含む服薬情報を取得する服薬情報取得手段と、前記服薬情報取得手段が取得した服薬情報を記憶する服薬情報記憶手段と、前記服薬者が服薬すべき薬に係る情報を表示する服薬情報表示手段と、自装置が備える電子決済機能により食券を購入もしくは料理を注文した場合、または体調管理に係る食材もしくは養分の摂取量に係る情報が入力された場合に、前記服薬者は食事をしようとしているタイミングであると判定する食事タイミング判定手段と、を有し、
前記食事タイミング判定手段が前記服薬者は食事をしようとしているタイミングであると判定した場合に、前記服薬情報表示手段は、自装置が備える時計機能が示す現在時刻に基づいて前記食事が朝食、昼食、夕食のいずれであるかを特定し、前記特定した食事の食前または食後に服薬すべき薬に係る情報を表示することを特徴とする服薬情報を自動表示する服薬管理装置。
【請求項３】
所定の薬を定期的に服薬する服薬者の服薬に係る情報を管理する服薬管理装置であって、
所定のバーコードまたは所定の無線タグまたは所定のサイトから１以上の薬の種類を識別する薬識別情報および前記薬の各々の食前または食後の情報を含む服薬すべきタイミングに係る情報を含む服薬情報を取得する服薬情報取得手段と、前記服薬情報取得手段が取得した服薬情報を記憶する服薬情報記憶手段と、前記服薬者が服薬すべき薬に係る情報を表示する服薬情報表示手段と、前記服薬者が身につけるモーションセンサ付きリストバンドから当該服薬者の動作に係る動作情報を取得する服薬者動作取得手段と、前記取得した動作情報を解析し前記服薬者は食事中であるか否かを判定する食事中判定手段と、を有し、
前記服薬情報表示手段は、前記食事中判定手段が前記服薬者は食事中であると判定した場合に、自装置が備える時計機能が示す現在時刻に基づいて前記食事が朝食、昼食、夕食のいずれであるかを特定し、前記特定した食事の食前または食後に服薬すべき薬に係る情報を表示することを特徴とする服薬情報を自動表示する服薬管理装置。
【発明の詳細な説明】
【技術分野】
【０００１】
本発明は、定期的に服薬する服薬者自身、またはその家族や介護士等による服薬管理をサポートする機能を有する服薬管理装置に関する。
【背景技術】
【０００２】
近年、高齢者人口の増加に伴い、服薬管理が必要な何らかの持病を持つ高齢者が増加の一途で、その人数は病院や介護施設が介護出来る数を超えており、今後、在宅の患者がさらに増加すると思われる。その場合、在宅の患者自身または仕事や家事で忙しい患者の家族または多くの被介護者を巡回して介護する多忙な巡回介護士が、患者の服薬を管理する必要があり、服薬忘れが懸念される。
【０００３】
服薬管理に係る技術として、患者の服薬を管理する服薬管理装置と、通信回線を介して前記服薬管理装置に接続され前記患者が使用する端末装置から成る服薬管理システムに関する技術が知られている（例えば、特許文献１）。
【０００４】
この技術は、患者が服薬を完了すべき予定時刻を過ぎてもナースコール子機から服薬完了情報が送られてこないまま、第１の所定時間（例えば、３０分）が経過したとき、患者に服薬を促すための報知情報を服薬者側のナースコール子機へ送信し、さらに、ナースコール子機から服薬完了情報が送られてこないまま、第２の所定時間（例えば、６０分）が経過したとき、患者が服薬を完了していないことを当該患者の服薬を管理する看護師側の機器に報知するものであり、看護師側において患者の服薬忘れを把握することを可能とするものである。
しかしながら、特許文献１に記載された技術は、患者が服薬を完了すべき予定時刻を予め登録しておき、その予定時刻を所定時間（例えば、３０分）経過しても服薬完了情報が送られてこない場合に服薬を促す報知を行うものであって、患者が服薬すべきタイミングが日によって変わる場合については考慮されていない。
【０００５】
即ち、服薬すべきタイミングは、一般的に食前または食後３０分以内等、実際に食事をするタイミングを基準に決められている。食事の時刻が決められている医療施設等に居る服薬者や規則正しく食事を取る服薬者であれば、時間による管理でも問題はないが、食事時刻が変動（例えば、３０分程度）することはよくあることであり、場合によっては、検査や体調の都合で食事を抜くこともあるので、定期的な服薬を促す報知が為されたとしても、実際の食事に応じて患者自身等が服薬することをリマインドしなければならず、依然として服薬忘れが懸念される。
【０００６】
従って、固定的な食事予定時間を基準にして服薬忘れを警鐘するのではなく、実際に食事をしようとする際に、事前に服薬忘れを警鐘することが望まれる。
【先行技術文献】
【特許文献】
【０００７】
【特許文献１】特開２００９−１６３５３４号公報
【発明の概要】
【発明が解決しようとする課題】
【０００８】
そこで、本発明の課題は、食事をする際の服薬者の行動を監視し、服薬者が実際に食事を取ろうとしているタイミングを検知し、食事前後の服薬忘れを警鐘する服薬情報を自動的に表示する機能を有する服薬管理装置を提供することにある。
【課題を解決するための手段】
【０００９】
上記課題を解決するために、第１の発明は、所定の薬を定期的に服薬する服薬者の服薬に係る情報を管理する服薬管理装置であって、所定のバーコードまたは所定の無線タグまたは所定のサイトから１以上の薬の種類を識別する薬識別情報および前記薬の各々の食前または食後の情報を含む服薬すべきタイミングに係る情報を含む服薬情報を取得する服薬情報取得手段と、前記服薬情報取得手段が取得した服薬情報を記憶する服薬情報記憶手段と、前記服薬者が服薬すべき薬に係る情報を表示する服薬情報表示手段と、を有し、自装置が備えるアラーム機能により食事時刻の到来を示すアラームが鳴動または表示した後に、前記アラームの鳴動または表示を停止する操作が為された場合に、前記服薬情報表示手段は、自装置が備える時計機能が示す現在時刻に基づいて前記食事が朝食、昼食、夕食のいずれであるかを特定し、前記特定した食事の食前または食後に服薬すべき薬に係る情報を表示することを特徴とする。
【００１０】
また、第２の発明は、所定の薬を定期的に服薬する服薬者の服薬に係る情報を管理する服薬管理装置であって、所定のバーコードまたは所定の無線タグまたは所定のサイトから１以上の薬の種類を識別する薬識別情報および前記薬の各々の食前または食後の情報を含む服薬すべきタイミングに係る情報を含む服薬情報を取得する服薬情報取得手段と、前記服薬情報取得手段が取得した服薬情報を記憶する服薬情報記憶手段と、前記服薬者が服薬すべき薬に係る情報を表示する服薬情報表示手段と、自装置が備える電子決済機能により食券を購入もしくは料理を注文した場合、または体調管理に係る食材もしくは養分の摂取量に係る情報が入力された場合に、前記服薬者は食事をしようとしているタイミングであると判定する食事タイミング判定手段と、を有し、前記食事タイミング判定手段が前記服薬者は食事をしようとしているタイミングであると判定した場合に、前記服薬情報表示手段は、自装置が備える時計機能が示す現在時刻に基づいて前記食事が朝食、昼食、夕食のいずれであるかを特定し、前記特定した食事の食前または食後に服薬すべき薬に係る情報を表示することを特徴とする。
【００１１】
さらに、第３の発明は、所定の薬を定期的に服薬する服薬者の服薬に係る情報を管理する服薬管理装置であって、所定のバーコードまたは所定の無線タグまたは所定のサイトから１以上の薬の種類を識別する薬識別情報および前記薬の各々の食前または食後の情報を含む服薬すべきタイミングに係る情報を含む服薬情報を取得する服薬情報取得手段と、前記服薬情報取得手段が取得した服薬情報を記憶する服薬情報記憶手段と、前記服薬者が服薬すべき薬に係る情報を表示する服薬情報表示手段と、前記服薬者が身につけるモーションセンサ付きリストバンドから当該服薬者の動作に係る動作情報を取得する服薬者動作取得手段と、前記取得した動作情報を解析し前記服薬者は食事中であるか否かを判定する食事中判定手段と、を有し、前記服薬情報表示手段は、前記食事中判定手段が前記服薬者は食事中であると判定した場合に、自装置が備える時計機能が示す現在時刻に基づいて前記食事が朝食、昼食、夕食のいずれであるかを特定し、前記特定した食事の食前または食後に服薬すべき薬に係る情報を表示することを特徴とする。
【発明の効果】
【００１２】
本発明によれば、服薬が必要な服薬者の食事時刻が日によって変化する場合でも、食事前後の適切な時間内の服薬忘れを警鐘する服薬管理装置を提供できる。
【００１３】
なお、この服薬管理装置は、服薬者自身または服薬者の家族や介護士等が所持する、一般的な情報機器、通信機器、携帯機器に服薬管理機能を付与したものであって、それらの機器が備える食事に係る情報処理と連動させるので、食前を判定するための特別なデバイスも不要である。
【図面の簡単な説明】
【００１４】
【図１】本発明による服薬管理装置１の内部ブロック構成を含む全体図
【図２】本発明による服薬管理装置１の動作フローチャート
【発明を実施するための形態】
【００１５】
以下、本発明の実施形態について、図面を用いて説明する。図１は、本発明による服薬情報を自動表示する服薬管理装置１（以下、本装置１と略す）の内部ブロック構成を含む全体図である。まず、本装置１および本装置１と連動する機器の全体の構成について説明する。
【００１６】
本装置１は、定期的に所定の薬を服薬する服薬者の服薬に係る情報を管理する服薬管理装置であって、例えば、服薬者またはその介護者が所持する携帯電話機器や携帯型情報機器に、後述する服薬管理機能を付与した装置である。なお、服薬管理機能はソフトウェアで実現するので、ハードウェアとしては既存の携帯電話機器や携帯型情報機器をそのまま流用可能である。
【００１７】
バーコード２は、カメラ１０３が読み取る一次元または二次元のバーコードであって、各種の情報がコード情報として記録されている。なお、バーコード２は、ＱＲコード（登録商標）のような２次元バーコードの方が、記録できる情報量が多く好適である。
【００１８】
本実施形態において、バーコード２−１は、医療機関や薬局が服薬者側へ渡す薬袋または薬の説明文書等に記載されたバーコードであって、各薬の品名，服薬タイミング，一回当たりの服薬量，各薬の残量等の服薬情報が記録されている。このバーコード２−１から読み取った情報により、服薬情報記憶部１０８に記憶されている情報が更新される。
【００１９】
本実施形態において、バーコード２−２は、メニュー表等に記載されたバーコードであって、本装置１が備える電子決済機能と連動し、食券を購入する際または注文する際のメニュー情報が記録されている。カメラ１０３がこのバーコード２−２を読み取ることにより、服薬者が食事をしようとしていることが分かる。
【００２０】
本実施形態において、バーコード２−３は、メニューや健康管理ガイドブック等に記載されたバーコードであって、本装置１が備える健康管理機能と連動し、食事メニューに対応したカロリー，塩分，タンパク質，脂肪等の養分の摂取量が記録されている。カメラ１０３がこのバーコード２−３を読み取ることにより、服薬者が食事をしようとしていることが分かる。なお、本実施形態において、バーコード２の種別がバーコード２−１〜２−３のいずれであるかは、バーコード２に記録されている予め定められた識別情報（図示せず）により判別可能とする。
【００２１】
ＮＦＣ（Ｎｅａｒ  Ｆｉｅｌｄ  Ｃｏｍｍｕｎｉｃａｔｉｏｎ）機器３は、ＮＦＣによる近距離無線通信機能を具備した機器であって、本装置１と各種のデータを授受する。なお、ＮＦＣは一例であって、非接触カードや無線タグ等に適用されている一般的な近距離無線通信方式が適用可能である。
【００２２】
本実施形態において、ＮＦＣ機器３−１は、ＮＦＣによる近距離無線通信機能を具備したレジスタであって、本装置１が備える電子決済機能と連動する電子商取引（ＥＣ：Ｅｌｅｃｔｒｏｎｉｃ  Ｃｏｍｍｅｒｃｅ）に対応している。食事代金支払いに係る電子決済処理が実行されたことで、服薬者が食後（後払いの場合）であることが分かる。
【００２３】
本実施形態において、ＮＦＣ機器３−２は、血圧，脈拍，体重等の健康管理に係わるデータの測定が可能な機器であって、本装置１が備える健康管理機能と連動する。なお、この健康管理機能は、服薬者の健康管理をサポートする機能であって、服薬忘れの防止とは関わらないが、例えば、食後の体重増を検知した場合に、服薬者が食事をしたと判定するようにしてもよい。
【００２４】
ところで、本実施形態において、ＮＦＣ機器３として、ＥＣ対応レジ（ＮＦＣ機器３−１），血圧等測定器（ＮＦＣ機器３−２）を例に説明したが、バーコード２−１〜２−３と同様の情報を本装置１に通知するＮＦＣ機器であってもよい。その場合は、本装置１は、バーコード２−１〜２−３を読取った場合と同様の処理を実行する。
【００２５】
また、バーコード２−１〜２−３を無線タグに置き換えてもよい。その場合、本装置１側のＮＦＣ通信部１０５（後述）に無線タグリーダ機能を追加すればよい。
【００２６】
ネットワーク４は、一般的なネットワーク（例えば、インターネット網）であって、本装置１は、ネットワーク４を介して、薬情報サーバ５、電子決済装置６、一般的な相手通信装置（図示せず）と、各種データを授受する。
【００２７】
薬情報サーバ５は、各種の服薬情報をアップしておくサーバであって、例えば、医療機関や介護機関が運営する特定のＷｅｂサイトである。バーコード２にこのサイトのＵＲＬ（Ｕｎｉｆｏｒｍ  Ｒｅｓｏｕｒｃｅ  Ｌｏｃａｔｏｒ）が含まれていた場合、本装置１は薬情報サーバ５にアクセスし、所定の服薬情報をダウンロードする。
【００２８】
電子決済装置６は、電子商取引を運営する業者が管理する装置であって、本装置１が備える電子決済機能と連動して電子商取引に係る処理を実行する。
【００２９】
モーションセンサ付きリストバンド７は、内部に搭載したモーションセンサ（加速度センサや角速度センサ等）により、このリストバンド７を身につけた服薬者の腕の動きを検出することが可能であって、検出した腕の動きに係わる情報を、本装置１へ送信する。本装置１は、このリストバンド７から送信されてくる腕の動き（例えば、箸を操る右手の動き）に係わる情報を解析し、このリストバンド７を身につけた服薬者が食事中か否かを判定する。
【００３０】
次に、本装置１の内部構成について説明する。本装置１は、通信制御部１０１、主制御部１０２、カメラ１０３、画像処理部１０４、ＮＦＣ通信部１０５、操作部１０６、表示／鳴動部１０７、服薬情報記憶部１０８、健康管理データ記憶部１０９、タイマ１１０、服薬者動作取得部１１１から構成される。
通信制御部１０１は、電話通話，電子メール通信，データ通信等の一般的な通信機能を提供する手段である。本実施形態において、通信制御部１０１は、ネットワーク４を介して薬情報サーバ５，電子決済装置６，一般的な相手通信装置（図示せず）と通信を行う。通信制御部１０１の詳細な説明は割愛する。
【００３１】
主制御部１０２は、本装置１の処理全般を制御する手段である。主制御部１０２の動作フローの詳細は後述する。
【００３２】
カメラ１０３は、バーコードリーダとしてバーコード２を撮像する手段であって、撮像した画像を画像処理部１０４へ出力する。なお、カメラ１０３は、本装置１のベースマシンである携帯電話機器や携帯型情報機器が備える映像カメラをそのまま流用可能である。
【００３３】
画像処理部１０４は、カメラ１０３が撮像した画像データを解析し、その画像データが所定のバーコードか否かを判定し、バーコードであると判定した場合にそのコード情報を読み取る処理を実行する手段であって、読み取ったコード情報を主制御部１０２へ出力する。なお、画像処理部１０４は、本装置１のベースマシンである携帯電話機器や携帯型情報機器が備えるバーコードリーダ機能をそのまま流用可能である。
【００３４】
ＮＦＣ通信部１０５は、各種のＮＦＣ機器３とＮＦＣによる近距離無線通信を実行する手段であって、ＮＦＣ機器３と主制御部１０２との間でデータを中継する。なお、ＮＦＣ通信部１０５は、本装置１のベースマシンである携帯電話機器や携帯型情報機器が備えるＮＦＣ通信機能をそのまま流用可能である。
【００３５】
操作部１０６は、テンキー，ファンクションキー，キーボード，タッチパネル，マウス等の本装置１を操作する手段である。
【００３６】
表示／鳴動部１０７は、画像または音で情報を表示する手段であり、ＬＣＤやＬＥＤおよびスピーカやブザー等の表示デバイスを含む。例えば、主制御部１０２からの制御に応じて、本装置１を操作する者へ、食事の前後に服薬情報（例えば、“食後３０以内に薬○○を○錠服用して下さい”）を表示すると共に、服薬忘れを警鐘するアラーム音を鳴動する。
【００３７】
服薬情報記憶部１０８は、服薬者が服薬すべき各薬の品名，服薬タイミング，一回当たりの服薬量，各薬の残量等の服薬情報を記憶する手段である。服薬情報記憶部１０８が記憶する各薬の品名，服薬タイミング，一回当たりの服薬量，各薬の残量等は、カメラ１０３が服薬情報を含むバーコード２−１から読み取った情報をそのまま記憶してもよいし、操作部１０６から手入力された情報を記憶してもよい。なお、残量については入力された服薬情報に含まれている各薬の量が加算して更新される。
【００３８】
健康管理データ記憶部１０９は、服薬者の健康管理に係わるデータを記憶する手段であって、カメラ１０３がバーコード２−３から読み取った食事メニューに対応したカロリー，塩分，タンパク質，脂肪等の養分の摂取量に係わる情報や、ＮＦＣ通信部１０５が健康管理に係るＮＦＣ機器３−２から受信した、血圧，脈拍，体重等のデータが記録される。
【００３９】
タイマ１１０は、一般的な時計，アラームであって、服薬者が定期的な食事時刻をセットする。セットした時刻が到来すると、主制御部１０２はアラーム表示またはアラーム鳴動を制御する。このアラーム表示またはアラーム鳴動に対して、操作部１０６を介してそのアラームの停止操作が為されると、服薬者が食事時刻の到来を認識し、食事をしようとしていると推定できる。
【００４０】
服薬者動作取得部１１１は、服薬者が身につけるモーションセンサ付きリストバンド７から当該服薬者の腕の動きに係る動作情報を取得する手段である。食事中の腕の動きに対応した動作情報を受信することにより、当該服薬者が食事中か否かを推定できる。なお、服薬者固有の箸を操る右手の動き等のデータは、例えば、主制御１０２内のメモリ（図示せず）に、予め学習させた当該服薬者の平均データを記憶させておけばよい。
【００４１】
図２は本装置１の動作フローチャートである。以下、図１を併用して、本装置１の動作フローを説明する。本フローは本装置１の電源が投入された状態からスタートし（Ｓ２００）、Ｓ２０１，Ｓ２１２，Ｓ２１４，Ｓ２１５の各イベントの有無を循環して監視している（待機状態）。
【００４２】
Ｓ２０１において、カメラ１０３がバーコード２を読み取った場合、またはＮＦＣ通信部１０５がＮＦＣ機器３からコード情報を受信した場合（Ｓ２０１，ＹＥＳ）、Ｓ２０２以降に進み、主制御部１０２は、そのコード情報を解析し、解析したコード情報に応じた処理を実行する。Ｓ２０１でＮＯの場合は、Ｓ２１２に進む。
【００４３】
Ｓ２０２において、コード情報が、バーコード２−１から読み取った薬の種類およびその薬の服薬タイミング（食前または食後の情報を含む）に係る服薬情報を含むコード情報であった場合（Ｓ２０２，ＹＥＳ）、主制御部１０２は、そのコード情報から抽出した服薬情報（薬名，服薬タイミング，量等）を、服薬情報記憶部１０８に登録すると共に、タイマ１１０に食事時刻アラーム（定期／定刻）をセット（Ｓ２０３）し、Ｓ２０１に戻る。なお、前記コード情報がＵＲＬであった場合は、通信制御部１０１、ネットワーク４を介して当該ＵＲＬで指定されたサイト（例えば、医療機関が運営する薬情報サーバ５）から服薬情報をダウンロードし、上記処理を実行する。
【００４４】
なお、Ｓ２０３における食事時刻アラームのセットは、予め定められた定刻をセットしてもよいし、服薬者が操作部１０６から入力した予定時刻をセットするようにしてもよいし、食事時刻アラームのセット自体をパスしてもよい。Ｓ２０２でＮＯの場合は、Ｓ２０４に進む。
【００４５】
Ｓ２０４において、コード情報が、ＮＦＣ機器３−１から受信した血圧、脈拍、体重等の健康管理に係わるデータであった場合（Ｓ２０４，ＹＥＳ）、主制御部１０２は、入力されたデータを健康管理データ記憶部１０９に記憶（Ｓ２０５）し、Ｓ２０１に戻る。Ｓ２０４でＮＯの場合は、Ｓ２０６に進む。
【００４６】
Ｓ２０６において、コード情報が、バーコード２−２から読み取った服薬者が食事をする際の食前に購入する食券または注文するメニューに係る情報であった場合（Ｓ２０６，ＹＥＳ）、主制御部１０２は、電子決済装置６と通信して食券購入／注文に係わる電子決済処理を実行（Ｓ２０７）し、Ｓ２１６に進む。Ｓ２０６でＮＯの場合は、Ｓ２０８に進む。
【００４７】
Ｓ２０８において、コード情報が、バーコード２−３から読み取った食事メニューに対応したカロリー、塩分、タンパク質、脂肪等の養分の摂取量に係わる情報であった場合（Ｓ２０８，ＹＥＳ）、主制御部１０２は、養分摂取量を演算し、養分摂取量と日時を健康管理データ記憶部１０９に記憶（Ｓ２０９）し、Ｓ２１６に進む。Ｓ２０８でＮＯの場合は、Ｓ２１０に進む。
【００４８】
Ｓ２１０において、コード情報が、ＮＦＣ機器３−２から受信した食事代金支払いに係わる情報であった場合（Ｓ２１０，ＹＥＳ）、主制御部１０２は、電子決済装置６と通信して食事代金支払いに係わる電子決済処理を実行（Ｓ２１１）し、Ｓ２１６に進む。Ｓ２１０でＮＯの場合は、Ｓ２１２に進む。
【００４９】
Ｓ２１２において、操作部１０６から食事データの入力（例えば、服薬者がメニューを見ながら食材の種類や量を入力）があった場合（Ｓ２１２、ＹＥＳ）、主制御部１０２は、入力された食事データと日時を健康管理データ記憶部１０９に記憶（Ｓ２１３）し、Ｓ２１６に進む。Ｓ２１２でＮＯの場合は、Ｓ２１４に進む。
【００５０】
Ｓ２１４において、タイマ１１０にセットした定期的な食事時刻が到来し、表示／鳴動部１０７により食事時刻の到来を示すアラームが鳴動し、操作部１０６を介してアラーム鳴動の停止操作が為された場合（Ｓ２１４，ＹＥＳ）、Ｓ２１６に進む。所定時間（例えば、１分）が経過してもアラーム鳴動の停止操作が為されない場合（Ｓ２１４，ＮＯ）、アラーム鳴動を自動的に停止し（停止しなくてもよい）、Ｓ２１５に進む。
【００５１】
なお、所定時間（例えば、１分）が経過してもアラーム鳴動の停止操作が為されない場合（Ｓ２１４，ＮＯ）とは、服薬者がアラーム鳴動に気付かない状態または服薬者が本装置１を所持していない状態である可能性が高いので、後述するＳ２１６をスキップする。
【００５２】
Ｓ２１５において、服薬者動作取得部１１１を介して服薬者が腕に装着しているモーションセンサ付きリストバンド７から食事中に対応した動き（例えば、右腕の箸やフォークを操作する動き）を検出した場合（Ｓ２１５，ＹＥＳ）、Ｓ２１６に進む。Ｓ２１５でＮＯの場合は、Ｓ２０１に戻る。
【００５３】
なお、この食事中に対応した動きの検出は、主制御部１０２内に予め記憶している服薬者の食事中の平均的な動きデータ（図示せず）と、リストバンド７からの動きデータを対比するようにしてもよいし、その対比判定処理までリストバンド７側が実行し、食事中に対応した動きを検出した旨の情報をリストバンド７から受信するようにしてもよい。
【００５４】
以上説明したＳ２１６に至る、Ｓ２０６，Ｓ２０８，Ｓ２１０，Ｓ２１２，Ｓ２１４，Ｓ２１５のいずれかのＹＥＳからのフローでは、服薬者は、実際に食事をしようとしていると推定される。
【００５５】
そこで、Ｓ２１６において、主制御部１０２は、現在時刻に基づいて、現在服薬者がしようとしている食事が朝食，昼食，夕食のいずれであるかを特定し、特定した食事の食前または食後に服薬すべき薬の情報を服薬情報記憶部１０８から抽出して、表示／鳴動部１０７に表示し、Ｓ２０１に戻る。ここで、朝食，昼食，夕食のいずれであるかを特定する具体的な方法は、例えば、服薬者の平均的な各食事の時間帯を予め登録しておいて、その時間帯と現在時刻を対比するようにすればよい（図示せず）。
【００５６】
なお、本フローに関わらず、任意のタイミングで、服薬者等が操作部１０６を操作して、服薬情報を表示する操作が為された場合にも、現在時刻に近い、または現在時刻以降の食事の食後に服薬すべき薬に係る情報を表示するようにしてもよい（図示せず）。
【００５７】
また、モーションセンサ付きリストバンド７がバイブレータやディスプレイを備えている場合、Ｓ２１４における食事時刻の到来を示すアラーム鳴動や、Ｓ２１６における服薬情報の表示をモーションセンサ付きリストバンド７側で実行するようにしてもよい。さらに、モーションセンサ付きリストバンド７と本装置１が一体化した装置であってもよい。
【００５８】
以上説明した通り、本発明によれば、服薬が必要な服薬者の食事時刻が日によって変化する場合でも、服薬者が実際に食事をしようとしているまたは食事をしているタイミングを推定し、服薬忘れを警鐘するアラームの鳴動や服薬情報の表示を自動的に実行することが可能な服薬管理装置を提供できる。しかも、この服薬管理装置は、一般的な情報機器、通信機器、携帯機器をハードウェアとして適用し、本服薬管理機能をアプリケーションソフトウェアとしてインストールすることが可能であって、経済的である。
【００５９】
なお、本装置で複数の服薬者の服薬を管理する際は、その服薬者を識別する服薬者ＩＤと対応付けて各種情報の入出力および登録を管理するようにすれば良く、その場合、複数の服薬管理対象者が暮らす医療施設，介護施設，福祉施設等における、介護士用の装置としても好適である。
【００６０】
また、本装置１のベースマシンが携帯電話機器や携帯型情報機器であった場合、服薬者自身が本装置１を常に携帯するので、出先でも本装置１による服薬管理が可能である。
【００６１】
さらに、本装置１が検出する服薬者が実際に食事をしようとしているか否かに係る情報や健康管理情報を、ネットワーク４を介して、遠隔地の医療機関／看護師／家族等へ通知するようにすれば、服薬者を見守るツールとして本装置１を活用することも可能である。
【符号の説明】
【００６２】
１  ・・・・本発明による服薬情報を自動表示する服薬管理装置
２  ・・・バーコード
３  ・・・ＮＦＣ機器
４  ・・・・ネットワーク
５  ・・・・薬情報サーバ
６  ・・・・電子決済装置
７  ・・・・モーションセンサ付きリストバンド
１０１・・・通信制御部
１０２・・・主制御部
１０３・・・カメラ（バーコードリーダ）
１０４・・・画像処理部（コード情報読取）
１０５・・・ＮＦＣ通信部
１０６・・・操作部
１０７・・・表示／鳴動部
１０８・・・服薬情報記憶部
１０９・・・健康管理データ記憶部
１１０・・・タイマ（定期／定刻アラーム）
１１１・・・服薬者動作取得部
【図１】
2015222466.tif 000003
【図２】
2015222466.tif 000004